(57)【特許請求の範囲】
【請求項１】
天井面に取り付けられる略円盤状の器体と、上面が開口されるとともに上面開口部を囲む周壁を有し、上面開口部より上方に一対の引掛栓刃が突出された引掛キャップの一対の引掛栓刃に対応するように上記器体下面に器体中心を中心として点対称に開口させた略円弧状の引掛栓刃挿入口と、上記器体内に設けられ上記各引掛栓刃挿入口の一端から上記器体内に挿入された上記各引掛栓刃の他端方向への移動時に当該引掛栓刃を引掛保持し且つ電気的に接続される一対の引掛栓刃受部と、上記器体の中心から見て対称位置で器体を上下に貫通する一対の取付孔とを備え、器体の下面には、引掛栓刃を引掛栓刃挿入口に挿入した後に引掛キャップを規定の位置まで回転させて引掛キャップを装着したときの引掛キャップの長手方向の中心線に対して略直交する方向の直径線に対して直交し且つ中心からみて対称となるように凸面部が形成されるとともに、前記直径線に沿うように凸面部から対称的に延ばされた凸部が形成され、凸部の両端先部において器体の中心に対して対称となる位置には、引掛キャップの装着時に引掛キャップの上面開口部に収まり引掛キャップの回転操作時の振れ止めを行う振れ止めガイドがそれぞれ形成され、振れ止めガイド間の距離は、引掛キャップの周壁の短手方向の両側の中央部内面間の距離に略等しく設定され、各振れ止めガイドの両側には、前記凸面部の両側縁から器体下面に対して下り傾斜した面を有する凸部が引掛キャップの上面開口部内に納まるように形成されていることを特徴とする引掛シーリング。
【発明の詳細な説明】
【０００１】
【発明の属する技術分野】
本発明は、引掛シーリングに関するものである。
【０００２】
【従来の技術】
従来より、天井面等の施工面に取り付けられるとともに、照明器具に設けた引掛栓刃を接続する引掛栓刃受部を備える引掛シーリングが提供されている。
【０００３】
ところで、この引掛シーリングに引掛キャップの揺れ止めを図るために器体下面中心に対して対称位置に、揺れ止めガイド（ＪＩＳＣ ８３１０では揺れ止めダボと表記）を突設し、引掛キャップを回転させて引掛キャップを引掛シーリングに装着する際に、引掛キャップの上面開口に入れて回転時の振れ止めを図るようになっている。
【０００４】
【発明が解決しようとする課題】
ところで、引掛キャップの引掛栓刃を挿入するための引掛栓刃挿入口は寸法に余裕を持たせてあるため、引掛栓刃を引掛栓刃挿入口に挿入して引掛キャップを回転装着する場合、引掛キャップの位置がずれ、引掛キャップの周壁の上端面が揺れ止めガイドの下面に乗り上げた状態で装着されることがあり、そのため図６に示すように引掛シーリング１の器体２の下面に対して、引掛キャップ３が傾斜してしまうという問題があった。
【０００５】
本発明は上記事由に鑑みて為されたものであり、その目的は、振れ止めガイドに引掛キャップが乗り上げても最終的には引掛キャップを斜めにすることなく確実に装着できる引掛シーリングを提供することにある。
【０００６】
【課題を解決するための手段】
上記目的を達成するために、請求項１の発明では、天井面に取り付けられる略円盤状の器体と、上面が開口されるとともに上面開口部を囲む周壁を有し、上面開口部より上方に一対の引掛栓刃が突出された引掛キャップの一対の引掛栓刃に対応するように上記器体下面に器体中心を中心として点対称に開口させた略円弧状の引掛栓刃挿入口と、上記器体内に設けられ上記各引掛栓刃挿入口の一端から上記器体内に挿入された上記各引掛栓刃の他端方向への移動時に当該引掛栓刃を引掛保持し且つ電気的に接続される一対の引掛栓刃受部と、上記器体の中心から見て対称位置で器体を上下に貫通する一対の取付孔とを備え、器体の下面には、引掛栓刃を引掛栓刃挿入口に挿入した後に引掛キャップを規定の位置まで回転させて引掛キャップを装着したときの引掛キャップの長手方向の中心線に対して略直交する方向の直径線に対して直交し且つ中心からみて対称となるように凸面部が形成されるとともに、前記直径線に沿うように凸面部から対称的に延ばされた凸部が形成され、凸部の両端先部において器体の中心に対して対称となる位置には、引掛キャップの装着時に引掛キャップの上面開口部に収まり引掛キャップの回転操作時の振れ止めを行う振れ止めガイドがそれぞれ形成され、振れ止めガイド間の距離は、引掛キャップの周壁の短手方向の両側の中央部内面間の距離に略等しく設定され、各振れ止めガイドの両側には、前記凸面部の両側縁から器体下面に対して下り傾斜した面を有する凸部が引掛キャップの上面開口部内に納まるように形成されていることを特徴とする。
【０００７】
【発明の実施の形態】
以下本発明を実施形態により説明する。
【０００８】
図１乃至図４は本実施形態の引掛シーリング１を示している。引掛シーリング１は、上面が開口した円盤状の器体２と、器体２の上面側から器体２内に配設される矩形状の端子カバー４とを備え、器体２と端子カバー４とは、打込鋲１３により結合される。器体２およびカバー１２は熱硬化性樹脂であるメラミンフェノール樹脂ないしポリエステル樹脂の成形品であって難燃性を有している。
【０００９】
器体２の底壁内側面には図２のように一対の立壁１４が突設され、立壁１４の上に端子カバー４を載置した状態で端子カバー４を通して打込鋲１３を立壁１４の穴１４ａに打込むことにより器体２と端子カバー４とが結合される。
【００１０】
器体２の周壁内周面の２箇所には筒部５が形成され、筒部５には器体１の上下に貫通する取り付け孔６が形成されている。取り付け孔６には器体１の下面側から取付ねじ（図示せず）が挿入され、この取付ねじの先端部を天井Ｘに螺入することによって、図４に示すように器体１を天井Ｘに固定することができるようになっている。
【００１１】
器体２の内部は器体２の底壁内側面に突設された仕切壁１６により２分されて、端子収納室１７が２室形成されている。仕切壁１６は器体２の内部を２分する分離片１６ａを備え、仕切壁１６の一端部には支持リブ１６ｂが両側方に突設され、他端部には支持リブ１６ｂに対応した受け片１６ｃが両側方に突設される。さらに、器体２の底壁内側面には支持リブ１６ｂに対して分離片１６ａの反対側に突台１８が突設されている。突台１８は、分離片１６ａに対向する中央台１８ａと、中央台１８ａの両側に延設され水平断面がＬ字状であって先端部が分離片１６ａ側に延長されたガイドリブ１８ｂとを連続一体に備える。また各突台１８の一方のガイドリブ１８ｂはそれぞれ立壁１４に連続している。更に中央台１８ａはガイドリブ１８ｂよりも高さ寸法が大きくなっている。ガイドリブ１８ｂは受け片１６ｃと高さ寸法が略等しく、立壁１４とともに端子カバー４を支持する。したがって、端子カバー４は多箇所で支持され、ぐらつかないように固定される。
【００１２】
各端子収納室１７に対応する部位において器体２の底壁の周部には図５に示す引掛キャップ３の引掛栓刃７、７が挿入される略円弧状の引掛栓刃挿入口８、８がそれぞれ１個ずつ開口する。両引掛栓刃挿入口８，８は器体２の底壁（以下下面という）の中心を中心とする同一円周上に点対称的に形成され形成されている。引掛栓刃挿入口８、８は一端部に他の部位よりも幅の広い幅広部８ａを備える。幅広部８ａは他の部位である幅狭部８ｂに対して内向きに突出する形で幅を広げている。
【００１３】
先端部がＬ字状である引掛キャップ３の引掛栓刃７を引掛栓刃挿入口８に挿入するには、引掛栓刃７を幅広部８ａから引掛栓刃挿入口８に挿入した後に図１において時計方向に回転させ、引掛栓刃７の先端部を引掛栓刃挿入口８の幅狭部８ｂの周縁に重複させる。引掛栓刃挿入口８の幅狭部８ｂには端子金具９に電気的に接続された引掛栓刃受部１０が対応して設けられており、引掛栓刃７の先端部が幅狭部８ｂに導入されると、引掛栓刃７の先端部が引掛栓刃受部１０に引掛保持される。
【００１４】
ここで両側の引掛栓刃挿入口８、８は上述したように器体２の中心に対して略点対称に形成され、上記取り付け孔６、６は両引掛栓刃挿入口８，８の間において対称的に夫々設けられている。
【００１５】
そして器体２の下面には引掛シーリング１の器体２を取り付ける場合、透かし天井の溝の中心線上に合わせるための位置合わせ用目印２０，２０が直径線α上で器体２の中心に対して対称となる位置に設けてある。
【００１６】
この直径線αは引掛キャップ３を規定の位置まで回転させたときの引掛キャップ３の長手方向の中心線に対して略直交する位置となっている。
【００１７】
さて端子金具９は板金により形成されたものであり、器体２の底壁内側面に立設された形で配置される端子板９ａと、端子板９ａから一体に延長形成された引掛栓刃受部１０とを備える。引掛栓刃受部１０は刃受板１０ａよりなり、刃受板１０ａは引掛栓刃挿入口８に沿って配置される。また、刃受板１０ａの一端部において引掛栓刃挿入口８の幅広部８ａに臨む先部は引掛栓刃７が刃受板１０ａ上に乗り上げ易くするために先端側から登り傾斜面となっている。またこの先端部より延長される部位は器体２の底面との間で隙間があり、引掛栓刃７の先端部と、引掛キャップ３のボディとの間に刃受板１０ａと器体２の底壁とが介在する際に刃受板１０ａの上向きばね弾性に抗しながら引掛栓刃７の先端部が刃受板１０ａに弾接するようになっている。
【００１８】
端子金具９における端子板９ａは分離片１６ａおよび支持リブ１６ｂに当接し、更に端子板９ａの一部が器体２の底壁内側面に立設された止めリブ（図示せず）に当接することによって、端子金具９が器体２内の定位置に固定される。また、受け片１６ｃと端子板９ａとの間には鎖錠ばね１１が配設される。
【００１９】
鎖錠ばね１１は帯板の一端部をＳ字状に屈曲させて接触片１１ａを形成し、他端部をＪ字状に屈曲させて鎖錠片１１ｂを形成したものを用いてあり、接触片１１ａと鎖錠片１１ｂとが端子板９ａに対向するように配置される。
【００２０】
しかして、図４に示すように天井Ｘからの電源線Ｌを器体２に導入するために端子カバー４に形成した電線挿入口１２を通して鎖錠片１１ｂ側から電源線Ｌを導入すれば、接触片１１ａおよび鎖錠片１１ｂと端子板９ａとの間に電源線Ｌの芯線を挟持することができ、このとき接触片１１ａが電源線Ｌの芯線に接触して電気的接続状態を確保し、鎖錠片１１ｂの先端縁が電源線Ｌの芯線に食い込んで電源線Ｌを抜けないように保持する。上述のように電源線Ｌを接続する端子部は、端子板９ａと鎖錠ばね１１を用いたいわゆる速結端子構造を有している。
【００２１】
ところで、端子板９ａと鎖錠ばね１１とを用いて保持した電源線Ｌを取り外すために、器体２内には解除釦１５が配置される。解除釦１５は突台１８の内側面に沿って仕切壁１６の長手方向に摺動可能となるように配置される。
【００２２】
解除釦１５は端子カバー４に設けた切欠よりなる操作用開口部１９と突台１８の中央台１８ａとの間に露出する操作部１５ａを備え、鎖錠片１１ｂの一部に当接する一対の押圧片１５ｂを備える。この解除釦１５の操作は操作用開口部１９と中央台１８ａとに囲まれた部位にマイナスドライバ等の治具の先端部などを挿入して行う。この場合、治具により操作部１５ａを押せば、押圧片１５ｂが鎖錠ばね１１の鎖錠片１１ｂを端子板９ａから引き離す向きに撓ませて鎖錠片１１ｂを電源線Ｌから外すため、この状態で電源線Ｌを引き抜くことができる。また解除釦１５は両端子板９に跨がる形で配置され、電源側の２本の電源線Ｌを同時に外すことができるようになっている。
【００２３】
そして本実施形態では器体２の中央部には上記直径線αに対して直交し且つ中心からみて対称なるように凸面部２１を一体に形成するとともに、略直径線αに沿うように対称的に延ばした凸部２１Ａ，２１Ａの両端先部に引掛キャップ３の回転操作時の揺れ防止を図る振れ止めガイド２２を夫々形成してある。この振れ止めガイド２２，２２間の距離は引掛キャップ３の上面開口部を囲む周壁３ａの短手方向の両側の中央部内面間の距離に略等しくしている。そしてこれらの振れ止めガイド２２，２２の両側には上記凸面部２１の両側縁から器体下面に対して下り傾斜した面を持つ凸部２１Ｂ，２１Ｂを形成してある。
【００２４】
而して引掛キャップ３を装着する際には、上述したように引掛栓刃７の先部を引掛栓刃挿入口８の幅広部８ａに下方から挿入して周壁３ａの上端面を器体２の下面に当接させながら図１において時計方向に、引掛栓刃７の先部が幅狭部８ｂの端部に当たる位置まで回転させ、引掛栓刃７の先部を引掛栓刃受部１０の刃受板１０ａ上に乗り上げさせて機械的、電気的に結合するのであるが、引掛栓刃７の先部を引掛栓刃挿入口８の幅広部８ａに下方から挿入した際に、振れ止めガイド２２、２２が引掛キャップ３の上面開口部内に納まらず、図１に示すように振れ止めガイド２２の下面に周壁３ａが乗り上げて引掛キャップ３が器体２の下面に対して斜めとなった場合、従来では上述したように斜め状態で引掛キャップ３が装着される問題があったが、本実施形態では引掛キャップ３の回転に伴い、周壁３ａの上端面は凸部２１Ｂの傾斜面に沿って器体１の下面に滑り落ちて最終的には振れ止めガイド２２，２２が引掛キャップ３の上面開口部内に収まり、周壁３ａの上端面が器体２の下面に当接した状態となり、引掛キャップ３が斜めに傾くことなく装着できるのである。
【００２５】
尚凸面部２１の中央部は成形時のゲート口に対応しており、そのためゲート口の残り代としてバリが発生する恐れがあるが、本実施形態では、ゲート口の残り代が発生しても良いように凹部２３を形成している。換言すればゲート口に対応する位置を囲む凹部が形成できるようにした成形金型を用いて成形を行っている。
【００２６】
また器体２の側面には電線のストリップゲージ２４を形成し、また器体２の下端部の外周部には外方向に突出した鍔部２５を形成してある。この鍔部２５は照明器具を取り付ける場合の係止部を構成する。
【００２７】
【発明の効果】
請求項１の発明は、上述のように構成し、引掛キャップの振れ止めガイドの両側の器体下面に、周囲の器体下面に向けて下り傾斜した傾斜面を形成した凸部を引掛キャップの上面開口内に納まるように形成してあるので、引掛キャップの上面開口部の周壁の上端面が振れ止めガイド上に乗り上げても、引掛キャップの回転操作時に周壁端面を凸部の傾斜面に沿って器体下面に滑り落とすことができ、結果引掛キャップが斜めに傾くことなく確実に装着できるという効果がある。
【図面の簡単な説明】
【図１】本発明の一実施形態の下面図である。
【図２】（ａ）は同上の全体の縮小分解斜視図である。
（ｂ）は同上の全体の縮小斜視図である。
【図３】同上の側面図である。
【図４】同上の天井取り付け状態を示す断面図である。
【図５】（ａ）は引掛キャップの一側面図である。
（ｂ）は同上の上面図である。
【図６】従来例の説明図である。
【符号の説明】
１  引掛シーリング
２  器体
３  引掛キャップ
３ａ  周壁
２１  凸面部
２１Ａ，２１Ｂ  凸部
２２  振れ止めガイド
【図１】
0003882468.tif 000002
【図２】
0003882468.tif 000003
【図３】
0003882468.tif 000004
【図４】
0003882468.tif 000005
【図５】
0003882468.tif 000006
【図６】
0003882468.tif 000007